(57)【特許請求の範囲】
【請求項１】
送信機及び受信機が個々に設けられた複数の加入者局（Ｓ１乃至Ｓｎ，ｎ≧２）を含むＲＦ通信システム、特に、屋内ネットワークにおいて、情報が、上記加入者局（Ｓ１乃至Ｓｎ）の間で、各加入者局の送信機及び受信機とＲＦ通信システム内でＲＦ通信のため利用できる複数のチャネルとを用いて交換されるチャネル申し込み方法であって、
第１の通信パラメータの組（Ｉ１，Ｍ１）を準備する手順（ａ）と、
上記第１の通信パラメータの組（Ｉ１，Ｍ１）を使用して、上記複数の加入者局（Ｓ１乃至Ｓｎ）のうちの第１の加入者局（Ｓｘ；１≦ｘ≦ｎ）と第２の加入者局（Ｓｙ；１≦ｙ≦ｎ）との間のＲＦ通信用の複数のチャネルの中の第１のチャネルのグループ（Ｃ１乃至Ｃｍ，ｍ≧２）を試験する手順（ｂ）と、
上記第１の加入者局（Ｓｘ）と上記第２の加入者局（Ｓｙ）との間のＲＦ通信に対して、上記第１のチャネルのグループ（Ｃ１乃至Ｃｍ）の中に上記第１の通信パラメータの組を満たすチャネルが存在しなかった場合、第２の通信パラメータの組（Ｉ２，Ｍ２）を準備する手順（ｃ）と、
上記第２の通信パラメータの組（Ｉ２，Ｍ２）を使用して、上記第１の加入者局（Ｓｘ）と上記第２の加入者局（Ｓｙ）との間で、上記第１のチャネルのグループ（Ｃ１乃至Ｃｍ）を少なくとも部分的に含むＲＦ通信用の第２のチャネルのグループ（Ｃ＊１乃至Ｃ＊ｍ，ｍ≧２）を試験する手順（ｄ）と、
上記第１の加入者局（Ｓｘ）と上記第２の加入者局（Ｓｙ）との間のＲＦ通信に対して、手順（ｄ）で試験された上記第２のチャネルのグループ（Ｃ＊１乃至Ｃ＊ｍ）のうちの一つのチャネル（Ｃ＊ｘ，１≦ｘ≦ｍ）が上記第２の通信パラメータの組（Ｉ２，Ｍ２）を満たす場合、当該一つのチャネルを申し込む手順（ｅ）と、
を有し、上記第１の通信パラメータの組（Ｉ１，Ｍ１）に基づく上記第１の加入者局（Ｓｘ）と上記第２の加入者局（Ｓｙ）との間のＲＦ通信は、上記第２の通信パラメータの組（Ｉ２，Ｍ２）に基づく上記第１の加入者局（Ｓｘ）と上記第２の加入者局（Ｓｙ）との間のＲＦ通信よりも高品質である、方法。
【請求項２】
上記第１の加入者局（Ｓｘ）から上記ＲＦ通信システムにおける上記複数の加入者局（Ｓ１乃至Ｓｎ）のうちの他の加入者局（Ｓ１，．．．，Ｓｘ−１，Ｓｘ＋１，．．．，Ｓｎ）へ、上記第２の通信パラメータの組（Ｉ２，Ｍ２）を満たす上記一つのチャネル（Ｃ＊ｘ）が上記第１の加入者局（Ｓｘ）と上記第２の加入者局（Ｓｙ）との間のＲＦ通信のために申し込まれたことを示す獲得情報を送信する手順（ｆ）を更に有する、請求項１記載の方法。
【請求項３】
送信機及び受信機が個々に設けられた複数の加入者局（Ｓ１乃至Ｓｎ，ｎ≧２）を含むＲＦ通信システム、特に、屋内ネットワークにおいて、情報が、加入者局（Ｓ１乃至Ｓｎ）の間で、夫々の送信機及び受信機と、ＲＦ通信システム内でＲＦ通信のため利用できる複数のチャネルとを用いて交換されるチャネル申し込み方法であって、
少なくとも第１の通信パラメータの組（Ｉ１，Ｍ１）及び第２の通信パラメータの組（Ｉ２，Ｍ２）を準備する手順（ａ）と、
上記第１の通信パラメータの組及び上記第２の通信パラメータの組を使用して、上記複数の加入者局（Ｓ１乃至Ｓｎ）のうちの第１の加入者局（Ｓｘ；１≦ｘ≦ｎ）と第２の加入者局（Ｓｙ；１≦ｙ≦ｎ）との間でＲＦ通信用の上記複数の通信チャネルのうちの通信チャネルのグループ（Ｃ１乃至Ｃｍ，ｍ≧２）を試験し、チャネルが第１の通信パラメータの組を満たすかどうかを検査し、チャネルが第１の通信パラメータの組を満たさない場合には、第２の通信パラメータの組を満たすかどうかを検査する手順（ｂ）と、
チャネルが第１の通信パラメータ又は第２の通信チャネルの組を満たすかどうかに応じて、利用可能なチャネルを並び替える手順（ｃ）と、
並び替えられた順序に従って、手順（ｂ）で試験された上記利用可能なチャネル（Ｃ＊１乃至Ｃ＊ｍ）の一つのチャネル（Ｃ＊ｘ，１≦ｘ≦ｍ）を申し込む手順（ｄ）と
を有し、上記第１の通信パラメータの組（Ｉ１，Ｍ１）に基づく上記第１の加入者局（Ｓｘ）と上記第２の加入者局（Ｓｙ）との間のＲＦ通信は、上記第２の通信パラメータの組（Ｉ２，Ｍ２）に基づく上記第１の加入者局（Ｓｘ）と上記第２の加入者局（Ｓｙ）との間のＲＦ通信よりも高品質である、方法。
【請求項４】
上記一つのチャネル（Ｃ＊ｘ）が上記第２の通信パラメータの組（Ｉ２，Ｍ２）を満たす場合に、上記第１の加入者局（Ｓｘ）から上記ＲＦ通信システムにおける上記複数の加入者局（Ｓ１乃至Ｓｎ）のうちの他の加入者局（Ｓ１，．．．，Ｓｘ−１，Ｓｘ＋１，．．．，Ｓｎ）へ、上記第２の通信パラメータの組（Ｉ２，Ｍ２）を満たす上記一つのチャネル（Ｃ＊ｘ）が上記第１の加入者局（Ｓｘ）と上記第２の加入者局（Ｓｙ）の間のＲＦ通信のために申し込まれたことだけを示す獲得情報を送信する手順（ｅ）を更に有する請求項２記載の方法。
【請求項５】
第１の通信パラメータの組を満たす利用可能なチャネルは存在しないが、利用可能なチャネルの一部が第２の通信パラメータの組を満たす場合に、干渉値が測定及び分類され、干渉値が最小であるチャネルが通信のため申し込まれる、請求項１記載の方法。
【請求項６】
上記手順（ｄ）は、
上記第２のチャネルのグループ（Ｃ＊１乃至Ｃ＊ｍ）のうち、上記第２の通信パラメータの組（Ｉ２，Ｍ２）を満たす少なくとも二つのチャネルを識別するデータを記憶する手順と、
上記少なくとも二つのチャネルの中から一つのチャネル（Ｃ＊ｘ）を選択する手順と、
上記第１の加入者局（Ｓｘ）と上記第２の加入者局（Ｓｙ）との間のＲＦ通信のため、上記少なくとも二つのチャネルのうちの上記一つのチャネル（Ｃ＊ｘ）を申し込む手順と
を有する請求項１記載の方法。
【請求項７】
上記第１の通信パラメータの組は、第１の干渉基準値（Ｉ１）及び／又は第１の余裕（Ｍ１）を含み、
上記第２の通信パラメータの組は、第２の干渉基準値（Ｉ２）及び／又は第２の余裕（Ｍ２）を含む、請求項１記載の方法。
【請求項８】
上記獲得情報は、上記第２の通信パラメータの組（Ｉ２，Ｍ２）に関する情報を含む、請求項１記載の方法。
【請求項９】
上記チャネルを申し込む手順は、仮のチャネル選択として実行され、
該一つのチャネル（Ｃ＊ｘ）は、上記第１の加入者局（Ｓｘ）と上記第２の加入者局（Ｓｙ）との間のセットアップＲＦ通信に使用され、
上記セットアップＲＦ通信中に上記第２の加入者局（Ｓｙ）が、上記第２の通信パラメータの組（Ｉ２，Ｍ２）を満たす該チャネル（Ｃ＊ｘ）は上記第１の加入者局（Ｓｘ）と上記第２の加入者局（Ｓｙ）との間の更なるＲＦ通信のために十分であることを、上記第１の加入者局（Ｓｘ）へ通知した場合に、上記仮のチャネル選択は更なるＲＦ通信のための該チャネル（Ｃ＊ｘ）を選択することによって容認される、請求項１記載の方法。
【請求項１０】
該チャネルを申し込む手順の前に、第３の通信パラメータの組が準備され、
上記第３の通信パラメータの組は上記第１のチャネルのグループ（Ｃ１乃至Ｃｍ）及び／又は上記第２のチャネルのグループ（Ｃ＊１乃至Ｃ＊ｍ）を試験するために使用され、
上記第２の通信パラメータの組（Ｉ２，Ｍ２）に基づく上記第１の加入者局（Ｓｘ）と上記第２の加入者局（Ｓｙ）との間のＲＦ通信は、上記第３の通信パラメータの組に基づく上記第１の加入者局（Ｓｘ）と上記第２の加入者局（Ｓｙ）との間のＲＦ通信よりも高品質である、請求項１記載の方法。
【請求項１１】
上記第３の通信パラメータの組は、第３の干渉基準値及び／又は第３の余裕を含む、請求項１０記載の方法。
【請求項１２】
上記第１の加入者局（Ｓｘ）と上記第２の加入者局（Ｓｙ）との間のＲＦ通信は無線通信を含む、請求項１記載の方法。
【請求項１３】
上記第１の加入者局（Ｓｘ）と上記第２の加入者局（Ｓｙ）との間のＲＦ通信は有線通信を含む、請求項１記載の方法。
【発明の詳細な説明】
【０００１】
本発明は、各加入者局が送信機及び受信機を具備した複数の加入者局（Ｓ１乃至Ｓｎ，ｎ≧２）を含むＲＦ通信システム、特に、屋内ネットワークにおいて、情報が加入者局（Ｓ１乃至Ｓｎ）の間で、夫々の送信機及び受信機と、ＲＦ通信システム内でＲＦ通信のため利用できる複数のチャネルとを用いて交換されるチャネル申し込み方法に関する。
【０００２】
〔背景〕
私設ホームネットワーク及びローカル・エリア・ネットワークでは、テレビ、パーソナルコンピュータ、ステレオシステム、電話などの全ての種類の装置を一体的に連結するための開発が進行中である。例えば、同じアパート内、或いは、同じビル内で一つのエリアに設置され、専用ユーザのグループに属する数台の装置は、いわゆるクラスタの一部であると考えられる。クラスタは、各ビルの外部にある近隣局を含む。クラスタの装置間の情報交換、並びに、随意的にクラスタ装置とクラスタに近接した他の局との間の情報交換は、無線ＲＦ通信に基づいている。しかし、無線ＲＦ通信と有線ＲＦ通信の組合せも提供される。
【０００３】
装置間、或いは、装置と外部局との間のＲＦ通信に対して、利用可能なＲＦチャネルの数は制限されている。相互に通信するクラスタ中の装置、及び／又は、随意的に異なるクラスタ中の装置は、複数のタイムスロット及び／又は周波数スロットを共用することによって、一つ（随意的に二つ以上）のチャネルを使用する。これにより、通常は、干渉の問題は生じない。種々のクラスタの装置及び局は、ある種の条件下（距離、干渉レベルなど）で、通信のため利用可能なＲＦチャネルを使用／再使用する。したがって、他のクラスタ内の装置からの通信信号は、殆どの場合に、着目中のクラスタ中の装置の通信に関して干渉問題を生じる。通信トラヒックが高い状況では、干渉は同じチャネルの再使用を妨げ、利用可能なチャネルが無くなると、所望のサービスの利用が妨げられる。
【０００４】
周波数分割多重通信と時分割多重通信が混合した通信システムの一般的な概念は、欧州特許出願公開第０，８５３，４００号明細書に記載されている。本発明の開示のために、この文献を特に引用する。
【０００５】
競合する状況を回避するため、通信用の好ましいチャネルを申し込み、使用する前に、各装置は、個別にチャネル試験処理を実行する。チャネル試験処理では、通信パラメータに基づいて、好ましいチャネルは、ＲＦ通信を行えるかどうか、好ましくは、好ましいチャネルを介して最適化された通信を行えるかどうかが試験される。
【０００６】
〔発明の概要〕
本発明の目的は、ＲＦ通信システムにおいて、ＲＦ通信チャネル効率を高めるチャネル申し込み方法を提案することである。
【０００７】
本発明は、各加入者局が送信機及び受信機を具備した複数の加入者局（Ｓ１乃至Ｓｎ，ｎ≧２）を含むＲＦ通信システム、特に、屋内ネットワークにおいて、情報が加入者局（Ｓ１乃至Ｓｎ）の間で、夫々の送信機及び受信機と、ＲＦ通信システム内でＲＦ通信のため利用できる複数のチャネルとを用いて、独立に交換されるチャネル申し込み方法は、
第１の通信パラメータの組を準備する手順（ａ）と、
複数の加入者局のうちの第１の加入者局と第２の加入者局の間でＲＦ通信用の複数のチャネルの中の第１のチャネルのグループを試験するため第１の通信パラメータの組を使用する手順（ｂ）と、
第１の加入者局と第２の加入者局の間のＲＦ通信に対して、第１のチャネルのグループの中に第１の通信パラメータの組を満たすチャネルが存在しない場合、第２の通信パラメータの組を準備する手順（ｃ）と、
第１の加入者局と第２の加入者局の間で、第１のチャネルのグループを少なくとも部分的に含むＲＦ通信用の第２のチャネルのグループを試験するため、第２の通信パラメータの組を使用する手順（ｄ）と、
第１の加入者局と第２の加入者局の間のＲＦ通信に対して、手順（ｄ）で試験された第２のチャネルのグループのうちの一つのチャネルが第２の通信パラメータの組を満たす場合、当該チャネルを申し込む手順（ｅ）と、
を有する。
【０００８】
本発明の第２実施例によれば、各加入者局（Ｓ１乃至Ｓｎ）は送信機及び受信機を具備した複数の加入者局（Ｓ１乃至Ｓｎ，ｎ≧２）を含むＲＦ通信システムにおいて、情報が加入者局（Ｓ１乃至Ｓｎ）の間で、夫々の送信機及び受信機と、ＲＦ通信システム内でＲＦ通信のため利用できる複数のチャネルとを用いて交換される、ＲＦチャネル通信システム用、特に、屋内ネットワーク用の申し込み方法が提供される。この申し込み方法は、
少なくとも第１の通信パラメータの組（Ｉ１，Ｍ１）及び第２の通信パラメータの組（Ｉ２，Ｍ２）を準備する手順（ａ）と、
チャネルが第１の通信パラメータの組を満たすかどうかを検査し、チャネルが第１の通信パラメータの組を満たさない場合には、第２の通信パラメータの組を満たすかどうかを検査するために、上記複数の加入者局（Ｓ１乃至Ｓｎ）のうちの第１の加入者局（Ｓｘ；１≦ｘ≦ｎ）と第２の加入者局（Ｓｙ；１≦ｙ≦ｎ）との間でＲＦ通信用の上記複数の通信チャネルのなかの通信チャネルのグループ（Ｃ１乃至Ｃｍ，ｍ≧２）を試験する際に上記第１の通信パラメータの組及び上記第２の通信パラメータの組を使用する手順（ｂ）と、
チャネルが第１の通信パラメータ又は第２の通信チャネルの組を満たすかどうかに応じて、利用可能なチャネルを並び替える手順（ｃ）と、
並び替えられた順序に従って、手順（ｂ）で試験された上記利用可能なチャネル（Ｃ＊１乃至Ｃ＊ｍ）の一つのチャネル（Ｃ＊ｘ，１≦ｘ≦ｍ）を申し込む手順（ｄ）と、
を有する。
【０００９】
ここで提案される方法は、利用率若しくはチャネル効率を高め、チャネルの高頻度の（再）利用による悪影響を回避する。上記第１の加入者局によって送信され、第２の通信パラメータの組を満たす上記チャネルが申し込まれたという旨を示す獲得情報に基づいて、上記複数の加入者局のうちの他の加入者局、特に、同じクラスタ内の加入者局は、上記第１の加入者局によって申し込まれた上記チャネルを利用若しくは再利用しようとするかどうかを決めることができる。一方の上記第１の加入者局から受信した上記獲得情報を評価して、上記複数の加入者局のうちの他方の加入者局は、上記一方の加入者局によって申し込まれた上記チャネルを利用若しくは再利用しないことを決める。なぜならば、上記他方の加入者局による上記チャネルの申し込みは、上記第１の加入者局によって行われる通信を失敗に終わらせるからである。従って、提案した方法は、システムにおけるＲＦ通信の効率を高め、ＲＦ通信システムの全体的な故障率を低下させる。
【００１０】
本発明の典型的な実施例は、添付図面に例示され、以下で詳細に説明する。
【００１１】
〔実施例〕
図１には、複数の加入者局Ｓ１、．．．、Ｓ４を含むＲＦ通信システムが示されている。３台の加入者局Ｓ１、Ｓ２及びＳ３は、アパート或いはビルのようなエリア若しくはクラスタ１内に設置される。１台の加入者局Ｓ４は、クラスタ１の外部に設置される。加入者局Ｓ４は、原理的には、加入者局Ｓ１及び／又はＳ２及び／又はＳ３によって受信され得るＲＦ情報を送信するトランシーバー局である。さらに、ＲＦ信号は、クラスタ内の加入者局Ｓ１、Ｓ２及びＳ３の間で独立して交換される。更に、加入者局Ｓ１、Ｓ２及びＳ３は高信頼性で受信することができないが、局Ｓ１、Ｓ２及びＳ３の場所に干渉レベルを発生させる別の局（図示せず）が存在する場合もある。加入者局Ｓ１、Ｓ２及びＳ３は、例えば、ＴＥＳ、パーソナルコンピュータ、ステレオシステム、電話機等を含むローカル・エリア・ネットワーク（ＬＡＮ）の一部でも構わない。加入者局Ｓ１、Ｓ２及びＳ３と、加入者局Ｓ４及びその他の局（図示せず）との間の通信、並びに、随意的には、加入者局Ｓ１、Ｓ２、Ｓ３及びＳ４の間での通信のため、利用可能なＲＦチャネル数は制限されている。加入者局Ｓ１、Ｓ２、Ｓ３及びＳ４は、チャネルの多数のタイムスロット及び／又は周波数スロットを共用することによって、また、適切であるならば（例えば、クラスタが異なる場合）、別のチャネルを使用することによって、通信のため利用可能なＲＦチャネルを利用する。
【００１２】
例えば、加入者局Ｓ１とＳ２のような２台以上の加入者局の間の通信のためにＲＦチャネルが使用される前に、チャネルがそのチャネルによるＲＦ通信のため要求される必要条件を満たすかどうかを検査するため、チャネルを試験する。チャネルのＲＦ通信用としての使用可能性を検査するため、通信パラメータの組が使用される。一般的に、通信パラメータは、チャネルの伝送品質を監視するため使用される。チャネル獲得過程又はチャネル申し込み過程は、利用可能なチャネルが空いている（使用できる）か、又は、ふさがっている（使用できない）か、を試験することから始まる。
【００１３】
図２には、チャネル試験のため使用可能な通信パラメータの例が示されている。チャネル試験処理中に、ある干渉電力基準値Ｉ１又はＩ２、及び／又は、ある程度の余裕（マージン）Ｍ１又はＭ２が、加入者局Ｓ１とＳ２の間の通信に使用できるチャネルと、ふさがっているチャネルとを分離するために適用される。干渉電力基準値Ｉ１及びＩ２は、試験中のＲＦ通信以外のＲＦ通信から生じる干渉電力の異なるレベルを表現する。試験処理は、非常に洗練された方法によって構成することもできる。例えば、相対的に弱い信号を検出し、システム適合信号又は干渉とその他の信号を区別することができるように、受信チャネル信号と既知（推定）パターン若しくはシーケンスの相関をとる（これは、異なる効果を生じ、異なるパラメータの組が適用されることを意味する。）。
【００１４】
更に、チャネル試験処理は、加入者局Ｓ１とＳ２の間のＲＦ通信に影響を与え、チャネル効率若しくは通信品質を非常に低下させるより悪い条件（例えば、加入者局の移動、及び／又は、着目しているクラスタ中の別の局のスイッチオン、及び／又は、既存（動作中）の干渉中のクラスタに属する局）に対して、余裕Ｍ１、Ｍ２を考慮する必要がある。どのような場合でも、夫々の干渉電力基準値Ｉ１又はＩ２と、対応した余裕Ｍ１又はＭ２の合計（Ｉ１＋Ｍ１；Ｉ２＋Ｍ２）は、特性チャネルパラメータである許容干渉電力Ｐａよりも低くしなければならない（図２を参照せよ）。
【００１５】
したがって、安全側に維持するためには、比較的大きい余裕Ｍ１又はＭ２をチャネル試験の際に適用すべきである。これにより、おそらく、チャネル利用率若しくは効率は、理論的な値をはるかに超え、或いは、装置の配置が既知である場合に到達し得る値を超える。適切な余裕が適用されず、かつ、その他の措置が施されない場合、ＲＦ通信は、部分的に妨害されるか、又は、ＲＦ通信システムが種々のクラスタで故障を起こす。
【００１６】
最低限の入力電力Ｐｍ（図２を参照せよ）と、干渉電力基準値Ｉ１又はＩ２との差は、干渉距離と呼ばれる場合もある。図２には、送信電力Ｐｔ及び公称入力電力Ｐｎも示されている。
【００１７】
次に、例えば、加入者局Ｓ１とＳ２のような２台の加入者局の間の通信のため使用されるＲＦチャネルを申し込む方法を説明する。第１の手順で、通信パラメータの組が準備される。本例では、通信パラメータの組は、干渉電力基準値Ｉ１及び余裕Ｍ１を含む（図２を参照せよ）。しかし、新規のチャネル申し込み方法は、チャネル試験のため使用される通信パラメータの個数及び性質とは無関係である。通信パラメータの組は、加入者局Ｓ１とＳ２の間の通信に、よい品質の、好ましくは、高品質のＲＦチャネルを提供するように選択される。
【００１８】
通信パラメータの組は、加入者局Ｓ１とＳ２の間のＲＦ通信のため利用可能である第１のチャネルのグループを試験するため使用される。次に、加入者局Ｓ１とＳ２の間のＲＦ通信に対して、第１のチャネルのグループの中に通信パラメータの組Ｉ１及びＭ１を満たすチャネルが存在しない場合、別の通信パラメータの組Ｉ２及びＭ２が準備される。この別の通信パラメータの組Ｉ２及びＭ２は、加入者局Ｓ１とＳ２の間の通信に、ＲＦ情報を伝送するために十分な品質のＲＦチャネルを提供するように選択される。
【００１９】
次に、この別の通信パラメータの組Ｉ２及びＭ２は、加入者局Ｓ１とＳ２の間のＲＦ通信のため利用可能な第２のチャネルのグループを試験するため使用される。第２のチャネルのグループは、少なくとも部分的に第１のチャネルのグループを含む。
【００２０】
続いて、第２のチャネルのグループのうちの少なくとも一つのチャネルが加入者局Ｓ１とＳ２の間のＲＦ通信用の別の通信パラメータの組Ｉ２及びＭ２を満たす場合、当該少なくとも一つのチャネルは、加入者局Ｓ１とＳ２の間のＲＦ通信のため申し込まれる。その後、獲得及びチャネル品質情報が加入者局Ｓ１から、クラスタ内の他の加入者局（Ｓ２，Ｓ３）と、加入者局Ｓ４とへ送信され、別の通信パラメータの組Ｉ２及びＭ２を満たす少なくとも一つのチャネルが加入者局Ｓ１とＳ２の間のＲＦ通信のために申し込まれたという旨が知らされる。
【００２１】
随意的に、チャネル試験中に、試験中のチャネルを特徴付けるデータ又は識別するデータ、例えば、チャネルカウント数及び／又は別の特徴値が、別の通信パラメータの組Ｉ２及びＭ２によって規定される条件よりも良好な条件を与える全てのチャネルに対して保持される。通信パラメータの組Ｉ１及びＭ１、或いは、別の通信パラメータの組Ｉ２及びＭ２に関して、最良の結果を生じるチャネルは、更なる動作のため、特に、更なるＲＦ通信動作のため選択される。
【００２２】
通信パラメータの組Ｉ１及びＭ１と別の通信パラメータの組Ｉ２及びＭ２とに基づいてＲＦ通信システムにおけるＲＦ通信のため利用可能なチャネルを試験する間に、通信パラメータの組Ｉ１及びＭ１又は通信パラメータの組Ｉ２及びＭ２を満たすチャネルが見つからなかった場合、少なくとも一つの更なる通信パラメータの組が準備される。少なくとも一つの更なる通信パラメータの組は、加入者局Ｓ１とＳ２の間の通信に、加入者局Ｓ１とＳ２の間でＲＦ情報を伝送するために依然として十分な品質のＲＦチャネルを提供するように選択される。
【００２３】
本発明の更なる局面によれば、加入者局Ｓ１とＳ２の間のＲＦ通信のため選択され、申し込まれた少なくとも一つのチャネルは、仮の選択結果である、とみなされる。仮に選択されたチャネルは、加入者局Ｓ１とＳ２の間の第１のセットアップＲＦ通信のため使用される。仮に選択されたチャネルは、後で、加入者局Ｓ１側と、加入者局Ｓ２側の双方で夫々に見直しをしてもよく、ＲＦ通信が双方で十分な伝送品質を伴って実行され得る場合に限り、加入者局Ｓ１とＳ２の間の更なる通信のため選択することができる。
【００２４】
随意的に、別の通信パラメータの組Ｉ２及びＭ２のチャネル試験必要条件が満たされる場合、少なくとも一つのチャネルが許容された旨を示す承認情報が加入者局Ｓ２から加入者局Ｓ１へ送信される。
【００２５】
尚、上記のチャネル申し込み方法は、本質的に、チャネル試験のため使用される方法、並びに、通信パラメータの組とは無関係である。いずれにしても、一方の加入者局によって通信用のチャネルが申し込まれた後、ＲＦ通信システムのその他の加入者局は、獲得情報によって情報が与えられる。
【００２６】
当業者は、上記のチャネル申し込み方法が全ての加入者局Ｓ１、．．．、Ｓ４によって実行され、全ての加入者局Ｓ１、．．．、Ｓ４が、ＲＦ通信システムにおけるＲＦ通信用の夫々の加入者局によって申し込まれたＲＦチャネルに関して相互に情報を与え得ることを認めるであろう。
【図面の簡単な説明】
【図１】  ＲＦ通信システムの概略図である。
【図２】  種々の通信パラメータの説明図である。
【図１】
0004744767.tif 000002
【図２】
0004744767.tif 000003